(57)【要約】【課題】袖扉の回転中心を単一として構成の簡易化を図るとともに、収納部に対する物品の出し入れ容易性と、三面鏡の形成を可能にすることのできるミラーキャビネットを提供すること。【解決手段】キャビネット本体１１の前部中央に配置された主鏡２２の左右両側に袖扉１３が配置されている。各袖扉１３は内側及び外側にサイドミラー２６，２７を備えており、回転中心を形成する回転軸３６が幅方向一端側の上下に設けられている。これら回転軸は、キャビネット本体１１の前部に設けられたガイドレール３６に受容されるとともに当該ガイドレール３６に沿って左右方向に移動可能に設けられている。袖扉１３を開いて回転軸３４を主鏡２２側に位置させたときに三面鏡が形成される。【選択図】図４
2007130392.tif 000002
【特許請求の範囲】
【請求項１】
キャビネット本体の前部中央に配置された主鏡と、この主鏡の左右両側にそれぞれ配置さるとともに、前記キャビネット本体の左右両側に回転可能に支持されてキャビネット本体の収納部を開閉する袖扉とを含むミラーキャビネットにおいて、
前記袖扉は内外両面の少なくとも一方の面にサイドミラーを備えているとともに、回転中心が左右方向に移動可能となる状態で前記キャビネット本体に支持されていることを特徴とするミラーキャビネット。
【請求項２】
前記袖扉を開いて前記回転中心が主鏡側に位置するときに前記主鏡とサイドミラーにより三面鏡が形成されることを特徴とする請求項１記載のミラーキャビネット。
【発明の詳細な説明】
【技術分野】
【０００１】
本発明はミラーキャビネットに係り、更に詳しくは、収納部に対する物品の出し入れが容易に行えるとともに、三面鏡を形成することのできるミラーキャビネットに関する。
【背景技術】
【０００２】
洗面室等に設置されるミラーキャビネットは、内部に収納部が設けられたキャビネット本体と、このキャビネット本体の前部に配置された鏡とを備えて構成されている。公知のミラーキャビネットとしては、中央の収納部を開閉するように回転可能に取り付けられた主扉と、左右の収納部を開閉するように回転可能に取り付けられた袖扉と、これら各扉の前面に配置された主鏡及びサイドミラーとを備えたタイプのものが知られている。
【０００３】
前記袖扉は、主鏡側に回転中心を設けて外方端を自由端としたとき、すなわち内開き型としたときに主鏡と共に三面鏡を形成することになるが、収納部に対して物品の出し入れを行う場合には袖扉を大きく開放する必要がある。すなわち、ミラーキャビネットの利用者は、主鏡の正面に立つのが通常であるから、袖扉が内開き型で開放角度が小さいと、利用者の位置からは収納部内を直接見ることができなくなり、袖扉の自由端を回り込むようにして手を収納部にアクセスしなければならないこととなる。
【０００４】
従って、収納部に対する物品の出し入れ容易化を達成するためには、袖扉の回転中心を主鏡の反対側に設け、主鏡側の端部を自由端とする外開き型に設ければよいことになるが、この場合には、三面鏡を形成できない、という不都合を招来する。
【０００５】
そこで、袖扉の左右両側に回転中心を設け、これら回転中心を選択的に利用することで物品の出し入れ容易化と、三面鏡の形成を可能としたミラーキャビネットが提案されている（例えば、特許文献１参照）。
【０００６】
【特許文献１】特開２００２−１４７１０５号公報
【発明の開示】
【発明が解決しようとする課題】
【０００７】
しかしながら、特許文献１に記載されたミラーキャビネットにあっては、袖扉の左右両側に選択的に利用可能な回転中心を構成する機構が不可避となって構造が極めて複雑となり、ミラーキャビット自体の製造コストを大幅に上昇させてしまう、という不都合がある。
【０００８】
［発明の目的］
本発明は、このような不都合に着目して案出されたものであり、その目的は、袖扉の回転中心を幅方向一端側に設けるだけで構成の簡易化を図るとともに、収納部に対する物品の出し入れ容易性と、三面鏡の形成を可能にすることのできるミラーキャビネットを提供することにある。
【課題を解決するための手段】
【０００９】
前記目的を達成するため、本発明は、キャビネット本体の前部中央に配置された主鏡と、この主鏡の左右両側にそれぞれ配置さるとともに、前記キャビネット本体の左右両側に回転可能に支持されてキャビネット本体の収納部を開閉する袖扉とを含むミラーキャビネットにおいて、
前記袖扉は内外両面の少なくとも一方の面にサイドミラーを備えているとともに、回転中心が左右方向に移動可能となる状態で前記キャビネット本体に支持される、という構成を採っている。
【００１０】
また、本発明は、前記袖扉を開いて前記回転中心が主鏡側に位置するときに前記主鏡とサイドミラーにより三面鏡が形成される、という構成を採っている。
【発明の効果】
【００１１】
本発明によれば、袖扉の回転中心が左右方向に移動可能に設けられているため、例えば、袖扉が収納部を閉塞した位置にあるときの回転中心が主鏡の反対側にあれば、袖扉の主鏡側端部が自由端として収納部を開放する外開き型となり、物品の出し入れを容易に行うことができる。この際、袖扉の内面側にサイドミラーが設けられていれば、袖扉を開放した状態で前記回転中心を主鏡側に移動させることで、三面鏡を形成することができる。
【００１２】
また、袖扉の回転中心を主鏡側に位置させた状態で収納部を閉塞することもできる。この構成では、袖扉の外方端が自由端となる内開き型となるが、この場合でも、袖扉の前面にサイドミラーを設けておくことで、三面鏡を形成することが可能となる。また、この構成の場合、袖扉を開いて回転中心を主鏡の反対側に移動させれば実質的に外開きと同様に物品の出し入れを行うことができる。
【発明を実施するための最良の形態】
【００１３】
以下、本発明の好ましい実施の形態について、図面を参照しながら説明する。
【００１４】
図１には、本実施形態におけるミラーキャビネットの概略斜視図が示されている。この図において、ミラーキャビネット１０は、キャビネット本体１１と、当該キャビネット本体１１の前部中央に配置された中央扉１２と、この中央扉１２の左右両側に配置された一対の袖扉１３，１３とを備えて構成されている。
【００１５】
前記キャビネット本体１１は、洗面ボール１４を備えたベースキャビネット１５の後部上方位置に設けられている。このキャビネット本体１１は、図２に示されるように、中央部に位置する中央収納部２０と、この中央収納部２０の左右両側に位置する一対の外側収納部２１，２１とを備え、これら収納部２０，２１の前部開放側が中央扉１２及び袖扉１３，１３によって閉塞されるようになっている。
【００１６】
前記中央扉１２は、その前面に主鏡２２が配置されているとともに、図２中左端側の上下二箇所に突軸２３，２３が設けられている。各突軸２３は、キャビネット本体１１における中央収納部２０の前部に設けられた軸受部２４に支持され、これにより、中央扉１２が図２中右端を自由端として回転可能となっている。なお、本実施形態では、中央扉１２は、板状体の前面に主鏡２２を固定して形成されているが、板状体に替えてフレーム枠を採用し、当該フレーム枠の内側に主鏡２２を嵌め込む構成としてもよい。
【００１７】
前記袖扉１３は、縦長の枠体からなるフレーム２５と、このフレーム２５の内側領域に嵌め込まれた内外一対のサイドミラー２６，２７とにより構成されている（図３参照）。フレーム２５は、左右一対をなす内側縦フレーム２９及び外側縦フレーム３０と、これら内側縦フレーム２９及び外側縦フレーム３０の上下両端を相互に連結する上部フレーム３１及び下部フレーム３２とにより構成され、上下各フレーム３１，３２における外側縦フレーム３０側に、回転中心を形成する回転軸３４，３４がそれぞれ設けられている。これらの回転軸３４は、キャビネット本体１１における外側収納部２１，２１の前端部上下対称位置に設けられたガイドレール３６に回転可能な状態で受容されるとともに、当該ガイドレール３６に沿って左右方向に移動可能に設けられている。
【００１８】
次に、本実施形態におけるミラーキャビネット１０の使用方法について、図４をも参照しながら説明する。
【００１９】
図４（Ａ）に示されるように、袖扉１３が閉塞位置にある場合には、当該袖扉１３のサイドミラー２７は、主鏡２２と共にキャビネット本体１１の前面側に表出する一方、サイドミラー２７の裏面側に位置するサイドミラー２６は袖扉１３の内面側に位置することとなる。
【００２０】
外側収納部２１に対して物品を出し入れする場合には、袖扉１３を外開きすればよい。すなわち、袖扉１３の内方端である主鏡２２側の端部を手前側に引き操作することで、外側収納部２１の前部を開放することができる。
【００２１】
ここで、三面鏡を形成する場合には、図４（Ｂ）に示されるように左右の袖扉１３，１３をそれぞれ開放した状態で、これら袖扉１３が相互に接近するように、回転軸３４，３４をガイドレール３６に沿って主鏡２２側に移動させればよい。これにより、主鏡２２と、袖扉１３の内面側に配置されたサイドミラー２６，２６とにより三面鏡が形成されることとなる（図４（Ｃ）参照）。
【００２２】
三面鏡を形成した図４（Ｃ）の状態において、外側収納部２１，２１をそれぞれ閉塞する場合には、前記回転軸３６を元の位置に戻した後に袖扉１３を反対側に回転して行える他、回転軸３６の位置を移動させずに、袖扉１３の自由端を後方外側に押して閉塞することもできる。この場合には、サイドミラー２６が袖扉１３の外面側に表出する一方、サイドミラー２７が内面側に隠れることとなる。
【００２３】
従って、このような実施形態によれば、袖扉１３の回転軸３４が袖扉１３の幅方向一端側に位置する構成であっても開閉方向を変更することができ、外側収納部２１に対する物品の出し入れを容易に行えるとともに、主鏡２２とサイドミラー２６，２７とによって三面鏡を形成することも可能なミラーキャビネットを提供することができる。
【００２４】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２５】
例えば、前記実施形態では、袖扉１３が内外二つのサイドミラー２６，２７を備えた構成を図示、説明したが、外側のサイドミラー２７は省略してもよい。また、外側のサイドミラー２７を採用する一方で内側のサイドミラー２６の省略を妨げない。この構成では、回転軸３４が主鏡２２側に位置する構成とすれば足りる。
【図面の簡単な説明】
【００２６】
【図１】実施形態に係るミラーキャビネットの全体構成を示す概略斜視図。
【図２】ミラーキャビネットの分解斜視図。
【図３】図２のＡ−Ａ線矢視拡大断面図。
【図４】（Ａ）〜（Ｃ）は、ミラーキャビネットの使用要領を示す説明図。
【符号の説明】
【００２７】
１０…ミラーキャビネット、１１…キャビネット本体、１３…袖扉、２１…外側収納部、２２…主鏡、２６，２７…サイドミラー、３４…回転軸（回転中心）
【図１】
2007130392.tif 000003
【図２】
2007130392.tif 000004
【図３】
2007130392.tif 000005
【図４】
2007130392.tif 000006